(57)【要約】【課題】電車やバスの目的地のアナウンス情報を、携帯通信端末装置から音声、文字表示、振動等により利用者に入手させることを可能とする。【解決手段】各目的地毎（駅、停留所）に設置した自発信型のＩＣタグ６ａ〜６ｎと、目的地情報ＤＢ１を備えたＷｅｂサーバ２と、目的地情報及びＩＤ情報を格納する複数の携帯通信端末装置３ａ〜３ｎとから構成される。Ｗｅｂサーバ２は、携帯通信端末装置からの要求に応じて、該要求に含まれる目的地情報に応じたＩＣタグ情報を目的地情報ＤＢ１から読出して要求元に返信し、要求元の携帯通信端末装置は、Ｗｅｂサーバから受信したＩＤ情報を格納しておく。バス等に利用者が乗車中、携帯通信端末装置は、各目的地毎に設置されたＩＣタグから発信されるＩＤ情報を受信し、受信したＩＤ情報と格納しておいたＩＤ情報が同じであれば目的地であることを利用者へアナウンスする。【選択図】      図１
2007043315.tif 000002
【特許請求の範囲】
【請求項１】
携帯通信端末装置から目的地のアナウンス情報を入手する目的地アナウンスシステムにおいて、目的地毎に目的地のＩＤ情報を発信するＩＣタグが設置されており、前記携帯通信端末装置は、目的地情報及びＩＤ情報を格納しているメモリと、前記ＩＣタグからの電波を受信する受信手段と、前記受信手段で受信されたＩＣタグからのＩＤ情報と前記メモリから読出したＩＤ情報とが同一か否かを判定する判定手段と、該判定手段によりＩＤ情報が同一と判定された場合に、アナウンス情報を利用者に通知する手段とを備えることを特徴とする目的地アナウンスシステム。
【請求項２】
前記携帯通信端末装置と接続可能にＷｅｂサーバを備え、該Ｗｅｂサーバは、目的地情報に前記目的地のＩＤ情報を付加した目的地データを保持する目的地情報データベースと、前記携帯通信端末装置からの要求に応じて、該要求に含まれる目的地情報に応じたＩＤ情報を前記目的地情報データベースから読み出す目的地検索手段と、該目的地検索手段による検索結果の目的地情報及びＩＤ情報を要求元の携帯通信端末装置に向けて送信する送信手段とを備え、前記携帯通信端末装置は、前記Ｗｅｂサーバから送信された目的地情報及びＩＤ情報を前記メモリに格納することを特徴とする請求項１記載の目的地アナウンスシステム。
【請求項３】
前記目的地は、鉄道、バス等の乗り物の駅、停留所であり、前記目的地毎に設けられるＩＣタグは、前記乗り物の駅、停留所、または、駅、停留所の中間点に設けられることを特徴とする請求項１または２記載の目的地アナウンスシステム。
【請求項４】
アナウンス情報を利用者に通知する手段は、文字の表示、音声、振動の少なくとも１つの方法でアナウンス情報を利用者に通知することを特徴とする請求項１、２または３記載の目的地アナウンスシステム。
【発明の詳細な説明】
【技術分野】
【０００１】
本発明は、目的地アナウンスシステムに係り、特に、交通機関の利用時等に、利用者が携帯通信端末装置から目的地のアナウンス情報（文字表示・音声・振動）を入手することを可能にした目的地アナウンスシステムに関する。
【背景技術】
【０００２】
通勤、通学などで普段なにげなく利用しているバスや電車等の公共交通機関は、人々にとって普段の生活で必要不可欠な公共交通機関で、多くの人々に利用者されているものであり、交通渋滞の緩和や地球温暖化の防止に大変有効な交通機関でもある。従ってこれらの公共交通機関は、その利便性を向上させることにより、さらなる利用促進を図ることが不可欠である。さらに、これらの公共交通機関は、視覚・聴覚に障害がある方や高齢者の方等が安全かつ容易に利用できるサービスを行うことも必要である。
【０００３】
近年、携帯電話等の携帯通信端末装置の普及が進むなかで、携帯通信端末装置を利用した様々なサービスが利用されており、また、最近ではＲＦＩＤ（Radio Frequency Identification）や非接触型ＩＣを組み合わせたサービスが登場しており、例えば、携帯通信端末装置による目的地を検索して、目的地の情報を利用者が入手することを可能にしたシステム等が知られている。
【０００４】
図６は従来技術による携帯通信端末装置を使用した目的地検索システムの構成の概要を示すブロック図であり、図６を参照して、従来技術による目的地検索システムについて説明する。図６において、６１は地図情報、施設情報データベース（ＤＢ）、６２はＷｅｂサーバ、６３はネットワーク、６４は基地局、６５ａ、６５ｂ〜６５ｎは携帯通信端末装置、６２１は目的地検索処理部、６２２は送受信部である。
【０００５】
従来技術による目的地検索システムは、携帯電話機等の携帯通信端末装置を使用して目的地の検索を可能としたシステムであり、図６に示すように、地図情報、施設情報ＤＢ６１を持ち、目的地検索処理部６２、送受信部６２２を備えて、目的地を検索して目的地の情報をＷｅｂ上で提供するＷｅｂサーバ６２と、Ｗｅｂサーバ６２にアクセスして目的地検索等を実施させる携帯電話機、通信機能を有するＰＤＡ等の携帯通信端末装置６５ａ、６５ｂ〜６５ｎと、これらの間を接続するインターネット等のネットワーク６３及び基地局６４とから構成されている。
【０００６】
前述したように構成される従来技術による目的地検索システムにおいて、Ｗｅｂサーバ６２は、携帯通信端末装置６５ａ〜６５ｎからの目的地検索ページへのアクセス要求を受信すると、目的地検索処理部６２１が目的地検索画面を携帯通信端末装置へ送信し表示させる。携帯通信端末装置６５ｂ〜６５ｎの利用者は、表示された目的地検索画面に検索条件等を入力しＷｅｂサーバ６２へ入力情報を送信する。Ｗｅｂサーバ６２の目的地検索処理部６２１は、携帯通信端末装置から送られてきた検索条件に該当する目的地を、地図情報や施設情報が格納されている地図情報、施設情報ＤＢ６１から検索し、その結果を検索結果画面として携帯通信端末装置に送信する。前述したような動作により、従来技術による目的地検索システムは、目的地の情報を利用者に提供することができる。
【０００７】
なお、前述したような目的地検索に関する従来技術として、例えば、特許文献１、特許文献２等に記載された技術が知られている。
【特許文献１】特開２００４−２８７２２９号公報
【特許文献２】特開２００３−３４７９９１号公報
【発明の開示】
【発明が解決しようとする課題】
【０００８】
ところで、電車やバスを利用して目的の駅や停留所へ向かう場合、電車やバスの利用者は、電車やバスの車内アナウンス情報（駅名、停留所名の音声によるアナウンスまたは電光掲示板による文字表示）を「見たり」、「聞いたり」することにより目的地の情報を入手することができる。これらのアナウンス情報は、電車やバスに乗車している全ての利用者に向けて配信されており、アナウンス情報が利用者の目的地か否かを利用者本人が判断する必要がある。そのため、電車やバスを利用する場合、利用者は、常に、配信されるアナウンス情報に対する注意を図ることが必要である。
【０００９】
しかし、利用者が「居眠り」や「ついうっかり」等により配信されるアナウンス情報を入手できない場合や、高齢者の方や、視覚・聴覚に障害のある方などが配信されるアナウンス情報を入手することが困難な場合があり、目的地を間違えてしまうといったような不都合が生じる場合も生じている。
【００１０】
前述したような不都合は、同乗者等他の人によって配信されるアナウンス情報を入手して判断してもらい、利用者本人に通知することにより解消することができるが、電車やバスを利用する際、同乗者がいない場合や、居ても同乗者が「居眠り」や「ついうっかり」などで配信されるアナウンス情報を入手できない場合等が考えられ、このような場合、利用者本人へアナウンス情報が正しく伝わらないことになり、電車やバスなど交通機関の気軽な利用を妨げる要因となっている。
【００１１】
前述した従来技術による目的地検索の技術は、前述で説明したような電車やバスを利用して目的の駅や停留所へ向かう場合には利用することができないものである。
【００１２】
本発明の目的は、前述したような点に鑑み、電車やバスのアナウンス情報を「見たり」、「聞いたり」しなくても、利用者本人に目的地のアナウンス情報を携帯通信端末装置から音声、文字表示、振動等により入手させることができ、視覚、聴覚に障害のある方や高齢者の方等の年齢を問わず幅広く電車やバスをさらに便利に利用できるようにした目的地アナウンスシステムを提供することにある。
【課題を解決するための手段】
【００１３】
本発明によれば前記目的は、携帯通信端末装置から目的地のアナウンス情報を入手する目的地アナウンスシステムにおいて、目的地毎に目的地のＩＤ情報を発信するＩＣタグが設置されており、前記携帯通信端末装置が、目的地情報及びＩＤ情報を格納しているメモリと、前記ＩＣタグからの電波を受信する受信手段と、前記受信手段で受信されたＩＣタグからのＩＤ情報と前記メモリから読出したＩＤ情報とが同一か否かを判定する判定手段と、該判定手段によりＩＤ情報が同一と判定された場合に、アナウンス情報を利用者に通知する手段とを備えることにより達成される。
【００１４】
また、前記目的は、前述において、前記携帯通信端末装置と接続可能にＷｅｂサーバを備え、該Ｗｅｂサーバが、目的地情報に前記目的地のＩＤ情報を付加した目的地データを保持する目的地情報データベースと、前記携帯通信端末装置からの要求に応じて、該要求に含まれる目的地情報に応じたＩＤ情報を前記目的地情報データベースから読み出す目的地検索手段と、該目的地検索手段による検索結果の目的地情報及びＩＤ情報を要求元の携帯通信端末装置に向けて送信する送信手段とを備え、前記携帯通信端末装置が、前記Ｗｅｂサーバから送信された目的地情報及びＩＤ情報を前記メモリに格納することにより達成される。
【発明の効果】
【００１５】
本発明によれば、電車、バス等の利用者は、電車、バスで配信されるアナウンス情報を「見たり」、「聞いたり」しなくても、利用者本人の目的地アナウンス情報だけを携帯通信端末装置で入手することができる。
【００１６】
また、本発明によれば、携帯通信端末装置の音声、文字表示、振動により利用者へアナウンス情報を通知することができるので、視覚、聴覚に障害がある方や高齢者の方などが容易に、電車、バス等を利用することが可能となる。
【発明を実施するための最良の形態】
【００１７】
以下、本発明による目的地アナウンスシステムの実施形態を図面により詳細に説明する。
【００１８】
図１は本発明の一実施形態による目的地アナウンスシステムの構成例を示すブロック図である。図１において、１は目的地情報ＤＢ、２はＷｅｂサーバ、３ａ、３ｂ〜３ｎは携帯通信端末装置、４は基地局、５はネットワーク、６ａ〜６ｎはＩＣタグ、７はサービス契約者一覧ＤＢ、８は目的地登録処理部、９は送受信部である。
【００１９】
本発明の実施形態による携帯通信端末装置を用いる目的地アナウンスシステムは、図１に示すように、主に携帯通信端末装置３ａ、３ｂ〜３ｎからの目的地（駅、停留所）データの要求に対して、目的地情報ＤＢ１を用いて目的地検索及び目的地登録処理を行う目的地登録処理部８、携帯通信端末装置３ａ、３ｂ〜３ｎとの間での情報の送受信を行う送受信部９を備えるＷｅｂサーバ２と、Ｗｅｂサーバ２にアクセスして目的地検索、目的地登録等を実施させる携帯電話機、通信機能を有するＰＤＡ等の携帯通信端末装置３ａ、３ｂ〜３ｎと、これらの間を接続するインターネット等のネットワーク４、無線により携帯通信端末装置３ａ、３ｂ〜３ｎに接続可能で、Ｗｅｂサーバ２との間の通信を中継する基地局４と、駅、停留所等の各目的地毎に設置されて目的地のＩＤ情報を発信するＩＣタグ６ａ〜６ｎとから構成されている。
【００２０】
前述において、Ｗｅｂサーバ２は、ＣＰＵ、主メモリ、ハードディスク装置等を備えた情報処理装置であり、前述した目的地登録処理部８は、ハードディスク装置から主メモリ内にロードされて、同様に主メモリ内にロードされているＯＳの下でＣＰＵにより実行されることにより、後述する本発明の実施形態での処理を実施する。また、駅、停留所等の各目的地毎に設置されて目的地のＩＤ情報を発信するＩＣタグ６ａ〜６ｎは、自身で目的地のＩＤ情報を発信する自発信型のＩＣタグである。
【００２１】
Ｗｅｂサーバ２には、事前にＷｅｂ上のサイトより目的地（駅、停留所）を携帯通信端末装置に登録するための目的地情報ＤＢ１と、配信サービス契約者一覧ＤＢ７とが接続されている。携帯通信端末装置３ａ、３ｂ〜３ｎは、駅、停留所等の各目的地毎に設置されているＩＣタグ６ａ〜６ｎからのＩＤ情報を受信し、予め自端末内に格納されている目的地のＩＤ情報とＩＣタグ６ａ〜６ｎからのＩＤ情報とを比較する処理を行うアプリケーションを備えている。
【００２２】
基地局４は、携帯通信端末装置３ａ、３ｂ〜３ｎが携帯電話機である場合、移動電話事業者の基地局に相当する。また、Ｗｅｂサーバ２に接続されている目的地情報ＤＢ１には、例えば、各路線の駅、停留所情報のデータ及び各駅、停留所に設置されたＩＣタグ６ａ〜６ｎが発信する目的地のＩＤ情報が登録されている。また、Ｗｅｂサーバ２に接続されているサービス契約者一覧ＤＢ７には、本発明の実施形態による目的地アナウンスシステムのサービスを受けることの契約を予め行っているサービス契約者の情報が格納されている。
【００２３】
図２は目的地情報ＤＢ１に格納される目的地情報の例を説明する図である。
【００２４】
目的地情報ＤＢ１に格納される駅、停留所データ及びＩＣタグ６ａ〜６ｎからのＩＤ情報は、図２に示すように、目的地名２１、住所２２、タグＩＤ２３、区分２４、会社名２５、路線ＩＤ２６から構成され、区分２４には電車またはバス等の識別情報が格納される。例えば、区分２４が電車の場合、目的地名２１に駅名、区分２４がバスの場合、目的地名２１に停留所名が登録される。住所２２には目的地名２１に該当する住所情報、タグＩＤ２３には各目的地に設置されたＩＣタグが発信する目的地のＩＤ情報、会社名２５には交通機関運営会社名、路線ＩＤ２６には各路線毎に予め取り決めた識別コードが格納される。
【００２５】
ここで、例えば、目的地（駅、停留所）の検索条件として、目的地名、住所、路線名より該当する目的地（駅、停留所）を携帯通信端末装置から登録する場合、携帯通信端末装置は、目的地検索時の検索条件で携帯通信端末装置に表示される検索結果より目的地を選択し、登録要求をＷｅｂサーバ２へ送信し、有効期間を設定して登録を実行することにより、目的地のタグＩＤ２３が携帯通信端末装置内のメモリ部へ格納される。
【００２６】
図３は携帯通信端末装置３ａ、３ｂ〜３ｎの構成を示すブロック図である。図３において、３１は携帯通信端末装置、３１１はアンテナ部、３１２はＩＤ受信部、３１３は送受信部、３１４はアナウンス通知処理部、３１５は入力部、３１６は表示部、３１７は振動モータ部、３１８はスピーカ部、３１９はメモリ部である。
【００２７】
携帯通信端末装置３ａ、３ｂ〜３ｎの１つの携帯通信端末装置３１は、目的地に設置されたＩＣタグからの電波によりアンテナ部３１１を通じてＩＤ情報を受信するＩＤ受信部３１２、利用者へ文字表示等により視覚的に通知を行う表示部３１６、利用者へ振動によって通知を行う振動モータ部３１７、利用者へ音声で通知を行うスピーカ部３１８、Ｗｅｂサーバ２に対して目的地登録のための情報を入力する入力部３１５、入力部３１５より入力された情報をＷｅｂサーバ２に向けて送信し、Ｗｅｂサーバ２からの情報を受信する送受信部３１３、Ｗｅｂサーバ２から受信したＩＤ情報を格納するメモリ部３１９、ＩＣタグから受信したＩＤ情報とＷｅｂサーバ２で登録したＩＤ情報との比較判定処理等を行うアナウンス通知処理部３１４を備えて構成されている。
【００２８】
前述において、携帯通信端末装置３１は、ＣＰＵ、メモリ、不揮発性メモリ等を備えて情報処理機能を有しており、アナウンス通知処理部３１４は、格納されているアプリケーションがＣＰＵにより実行されて、後述する本発明の実施形態での処理を実施する。そして、アナウンス通知処理部３１４は、ＩＤ受信部３１２で受信したＩＤ情報と、事前にＷｅｂサーバ２から取得してメモリ部３１９に登録した目的地のＩＤ情報とを比較して同一のＩＤか否かを判定し、その判定結果によりアナウンス通知を発信するか否かを決定する。すなわち、アナウンス通知処理部３１４は、同一のＩＤと判定した場合、目的地であることのアナウンスを文字表示、音声、振動のいずれかの方法またはこれらの方法の幾つかを組み合わせて利用者へ通知する。
【００２９】
図４はＷｅｂサーバ２内の目的地登録処理部８の処理動作と携帯通信端末装置での処理動作とを説明するフローチャートであり、次に、図４に示すフローを参照して、本発明の実施形態による携帯通信端末装置を用いる目的地アナウンスシステムの動作を説明する。
【００３０】
（１）Ｗｅｂサーバ２の目的地登録処理部８は、アクセス要求待ちの状態にある。目的地の登録を行おうとする利用者は、携帯通信端末装置から目的地登録ページ表示要求をＷｅｂサーバ２に送信する（ステップ４０１、４０２）。
【００３１】
（２）Ｗｅｂサーバ２は、目的地登録ページへのアクセス要求を受信したか否かを判定し、受信していなければアクセス要求の受信待ち状態で待機する（ステップ４０３）。
【００３２】
（３）Ｗｅｂサーバ２は、携帯通信端末装置からの目的地登録ページ表示のアクセス要求を受信した場合、アクセス要求を行った発信元の携帯通信端末装置の電話番号により、当該携帯通信端末装置が目的地アナウンスサービス契約に加入しているか否かを、サービス契約者一覧ＤＢ７を参照して判定する（ステップ４０４）。
【００３３】
（４）ステップ４０４の判定で、アクセスを行った携帯通信端末装置が目的地アナウンスサービス契約に加入していなかった場合、Ｗｅｂサーバ２は、「利用不可能」のメッセージを携帯通信端末装置に送信し、このメッセージを受信した携帯通信端末装置は、「利用不可能」のメッセージを表示する（ステップ４０５、４０６）。
【００３４】
（５）ステップ４０４の判定で、アクセスを行った携帯通信端末装置が目的地アナウンスサービス契約に加入していた場合、Ｗｅｂサーバ２は、依頼された目的地登録ページを携帯通信端末装置に送信する（ステップ４０７）。
【００３５】
（６）携帯通信端末装置は、Ｗｅｂサーバ２から受信した目的地登録ページを表示するので、利用者は、目的地の検索キーワードを入力した後、この検索キーワードをＷｅｂサーバ２に送信する（ステップ４０８、４０９）。
【００３６】
（７）Ｗｅｂサーバ２は、携帯通信端末装置から検索キーワード（目的地、住所、会社名、路線情報）を受信し、受信した検索キーワードに該当する目的地を目的地情報ＤＢ１から検索し、検索結果ページを携帯通信端末装置へ送信する（ステップ４１０〜４１２）。
【００３７】
（８）携帯通信端末装置は、Ｗｅｂサーバ２からの検索結果ページを受信して表示する。利用者は、表示された検索結果ページから目的地の選択が可能か否かを判定し、目的地の選択ができない場合、ステップ４０９からの処理に戻って、再度検索キーワードを入力して条件の絞込みを行う（ステップ４１３、４１４）。
【００３８】
（９）ステップ４１４の判定で、検索結果ページより目的地が選択可能であった場合、利用者は、携帯通信端末装置からＷｅｂサーバ２に目的地の登録要求を送信する（ステップ４１５）。
【００３９】
（10）Ｗｅｂサーバ２は、携帯通信端末装置からの目的地の登録要求を受信し、受信した要求に該当する目的地のＩＤ情報を携帯通信端末装置へ送信し、その後、ステップ４０１からの処理に戻って、携帯通信端末装置からのアクセス要求待ち状態となって待機する（ステップ４１６、４１７）。
【００４０】
（11）携帯通信端末装置は、Ｗｅｂサーバ２からの目的地のＩＤ情報を受信し、携帯通信端末装置内のメモリ部３１９にそのＩＤ情報を格納し、ＩＤ情報の有効化フラグをＯＮとする（ステップ４１８、４１９）。
【００４１】
Ｗｅｂサーバ２は、前述で説明した処理を目的地登録ページの表示要求を受信する度に実行して、要求を行った携帯通信端末装置に検索結果の目的地のＩＤを送信する。この結果、携帯通信端末装置には、利用者が利用しようとしている複数の目的地のＩＤ情報が格納されることになる。
【００４２】
図５は携帯通信端末装置のアナウンス通知処理部３１４での処理動作を説明するフローチャートであり、次に、これについて説明する。なお、ここでの処理は、利用者が図４で説明した処理により、目的地のＩＤ情報をメモリ部３１９に格納した携帯通信端末装置を所持して、バスや電車等に乗車し、目的地のアナウンスを受けようとする場合の処理である。
【００４３】
（１）アナウンス通知処理部３１４は、携帯通信端末装置への電源投入時に、目的地のＩＤ情報がメモリ部３１９に存在するか否かを判定し、ＩＤ情報が存在しない場合、何もせずにここでの処理を終了する（ステップ５０１）。
【００４４】
（２）ステップ５０１の判定で、ＩＤ情報が存在した場合、そのＩＤ情報の有効化フラグがＯＮとなっているか否かを判定し、ＯＮとなっていない、すなわち、ＯＦＦとなっていた場合、何もせずにここでの処理を終了する（ステップ５０２）。
【００４５】
（３）ステップ５０２の判定で、有効化フラグがＯＮとなっていた場合、駅、停留所等の各目的地毎に設置されて目的地のＩＤ情報を発信するＩＣタグ６ａ〜６ｎからのＩＤ情報の受信待ち状態となって待機する（ステップ５０３）。
【００４６】
（４）その後、携帯通信端末装置のアナウンス通知処理部３１４は、各目的地（駅、停留所）に設置されているＩＣタグからの目的地のＩＤ情報を受信したか否かを判定し、受信していなければ、受信待ち状態のままで待機する（ステップ５０４）。
【００４７】
（５）ステップ５０４の判定で、ＩＤ情報を受信していた場合、受信したＩＤ情報と、メモリ部３１９に格納されているＩＤ情報の有効化フラグがＯＮとなっているＩＤ情報とが同一のＩＤ情報であるか否かを判定し、ＩＤ情報が異なっていた場合、受信待ち状態のままで待機する（ステップ５０５）。
【００４８】
（６）ステップ５０５の判定で、２つのＩＤ情報が同一のＩＤであった場合、携帯通信端末装置は、目的地のアナウンスを文字表示、音声、振動で利用者に通知した後、処理したＩＤ情報の有効化フラグをＯＦＦにし、ステップ５０１からの処理に戻って、メモリ部３１９に格納されている次のＩＤ情報に対する処理を行うために処理を繰り返す（ステップ５０６、５０７）。
【００４９】
前述した本発明の実施形態における各処理は、プログラムとして構成して装置内に備えられているＣＰＵに実行させることができ、このプログラムは、ＦＤ、ＣＤ、ＭＯ、ＤＶＤＲＯＭ等の記録媒体に格納して提供することができ、また、ネットワークを介してディジタル情報により提供することができる。
【００５０】
前述した本発明の実施形態は、鉄道の駅、バスの停留所等の各目的地毎に目的地のＩＤ情報を発信するＩＣタグ６ａ〜６ｎが設置されているとして説明したが、本発明は、ＩＣタグ６ａ〜６ｎを、目的とする鉄道の駅、バスの停留所の１つ前の鉄道の駅、バスの停留所、あるいは、中間地点に設置して、次の駅または停留所が目的地であることを知らせるようにしてもよい。また、バス利用の場合、一般に、停留所の中間地点で行われるバス内の次停留所の案内開始時にバスの中から目的地のＩＤ情報を発信するようにすることもできる。この場合、携帯通信端末装置は、利用者にアナウンス情報を通知すると同時に、降車ボタンを押したと同様な信号を発してバス側で受信することができるようにすることができる。このようなバス側に降車信号を受信させる手段は、バス及び携帯通信端末装置に無線ＬＡＮモジュールを設けることにより構成することができ、また、携帯端末から基地局を介してバスの管理センタに通知し、管理センタからバスに降車信号を送信するようにしてもよい。
【図面の簡単な説明】
【００５１】
【図１】本発明の一実施形態による目的地アナウンスシステムの構成例を示すブロック図である。
【図２】目的地情報ＤＢに格納される目的地情報の例を説明する図である。
【図３】携帯通信端末装置の構成を示すブロック図である。
【図４】Ｗｅｂサーバ２内の目的地登録処理部の処理動作と携帯通信端末装置での処理動作とを説明するフローチャートである。
【図５】携帯通信端末装置のアナウンス通知処理部での処理動作を説明するフローチャートである。
【図６】従来技術による携帯通信端末装置を使用した目的地検索システムの構成の概要を示すブロック図である。
【符号の説明】
【００５２】
１  目的地情報データベース（ＤＢ）
２、６２  Ｗｅｂサーバ
３ａ、３ｂ〜３ｎ、６５ａ、６５ｂ〜６５ｎ  携帯通信端末装置
４、６４  基地局
５、６３  ネットワーク
６ａ〜６ｎ  ＩＣタグ
７  サービス契約者一覧ＤＢ
８  目的地登録処理部
９、６２２  送受信部
３１  携帯通信端末装置
３１１  アンテナ部
３１２  ＩＤ受信部
３１３  送受信部
３１４  アナウンス通知処理部
３１５  入力部
３１６  表示部
３１７  振動モータ部
３１８  スピーカ部
３１９  メモリ部
６１  地図情報、施設情報ＤＢ
６２１  目的地検索処理部
【図１】
2007043315.tif 000003
【図２】
2007043315.tif 000004
【図３】
2007043315.tif 000005
【図４】
2007043315.tif 000006
【図５】
2007043315.tif 000007
【図６】
2007043315.tif 000008